(57)【要約】本発明は、ディスク状のマイクロフルイディックデバイスに存在するマイクロチャネル構造に収容されたマイクロリットルおよび／またはナノリットルレンジの個々の液体サンプル容量を分析するための器具におけるディテクタ構成に関する。提案されたディテクタ構成は、協動するロータリドライブの中心軸を横切る第１のラジアル方向平面内で直線変位・位置決め駆動・制御されるように支持されるディテクタヘッドを備える。回転部材は、上記第１のラジアル方向平面と平行関係にある第２のラジアル方向平面内で、上記中心軸周りに回転可能に担持される。真空源は、回転部材に接続され、回転部材の平坦状の上面と気流連通し、これにより上記上面にわたって広く負圧を分配する。回転部材は、上面と付着接触した状態でディスク状基板を担持し、これによりディテクタヘッドに対し等距離・等角度で基板をスピンさせる。
2005503555.tif 000002
【特許請求の範囲】
【請求項１】
ディスク状の基板に存在するマイクロチャネル構造の検出マイクロキャビティに収容されたマイクロリットルおよび／またはナノリットルレンジの個々の液体サンプル容量を分析するための器具におけるディテクタ構成において、
基板はディスク平面に垂直な対称軸を有し、
ディテクタ構成は、
協動するロータリドライブの中心軸を横切る第１のラジアル方向平面内で直線変位・位置決め駆動・制御されるように支持されるディテクタと、
ロータリドライブはモータおよびスピンドルを有し、
スピンドル上で担持され、上記第１のラジアル方向平面と平行関係にある第２のラジアル方向平面内で、上記中心軸周りに回転可能に駆動される回転部材と、
第２の平面の各垂線は第１の平面の法線を形成し、
回転部材に接続され、回転部材の平坦状の上面と気流連通し、これにより上記上面にわたって負圧を分配する真空源と、
回転部材は、ディスク状基板をその対称軸周りにスピンさせるよう、上面と付着接触した状態で基板を担持し、
ディスクの対称軸に相対的にディテクタを位置決めし、これにより、ディテクタの焦平面に対し等距離・等角度で検出窓を通過するマイクロキャビティを走査する制御手段と、
を備えることを特徴とするディテクタ構成。
【請求項２】
ディテクタヘッドは駆動ユニットに接続され、
駆動ユニットは、第１のラジアル方向平面内でのディテクタヘッドの位置を逐次変化するよう電力供給・制御され、これにより、ディテクタヘッドに対し等距離・等角度で回転する各マイクロキャビティのラジアル方向に隣り合う部分を連続的に走査することを特徴とする請求項１のディテクタ構成。
【請求項３】
ディテクタヘッドは、蛍光または化学ルミネッセンスを検出するための光電子増倍管を備えることを特徴とする請求項１のディテクタ構成。
【請求項４】
ディテクタヘッドは、ロータリドライブの静止部材に機械的に連結されたフレーム構造に支持され、
モータは、静止部材から懸架されていることを特徴とする請求項１のディテクタ構成。
【請求項５】
ドライブスピンドルは静止部材から突出し、
回転部材は、回転部材の下面から出たハブ部分を介して静止部材にジャーナル支持され、
ハブは、中間のテーパ付きクランプ用スリーブと係合したハブの内側円錐面により、スピンドルに摩擦連結されることを特徴とする請求項４のディテクタ構成。
【請求項６】
ハブ部分は、ハブ部分の外側円筒面にスライド接触し且つ静止部材内に非回転式に着座した環状シールを介して、静止部材にジャーナル支持され、
これら環状シールは、静止部材と回転部材との間の負圧連通を軸方向に関して規定するよう軸方向に間隔をあけて配置されることを特徴とする請求項５のディテクタ構成。
【請求項７】
負圧は、回転部材の上面に配置された構造（formation)を介して、ディスク状基板に広く分配され、
該構造の主方向は、回転軸から実質的にラジアル方向に向くことを特徴とする請求項１のディテクタ構成。
【請求項８】
上記構造は、ディスクの全エリアにわたって付着が行われるよう、ディスク状基板と回転部材の上面との間にしみ出る気流を形成するように構成されることを特徴とする請求項７のディテクタ構成。
【請求項９】
真空源からディスク状基板の付着面への負圧連通は、最初に付着面を外周および内周弾性リング要素にそれぞれ密閉接触させることで行われ、
弾性リング要素は、上面から突出し、ディスクを回転部材の上面に付着接触した状態で最終的に載置させると該上面と同一またはそれ以下の高さとなるよう完全に退避するように支持されることを特徴とする請求項１のディテクタ構成。
【請求項１０】
ディスク状の基板に一体的に形成されたマイクロキャビティに収容されたマイクロスケール液体アリコートを走査するために、上記いずれか一つの請求項に係るディテクタ構成を適用する方法。
【発明の詳細な説明】
【技術分野】
【０００１】
本発明は、特に調製や分析目的で、例えば、医学、診断、生物化学、化学、分子生物学などの分野において、マイクロスケール液体サンプル容量を分析するための器具におけるロータリドライブ付きディテクタ構成に関する。ディテクタ構成は、マイクロフルイディック構造を内部に形成したディスク状基板内に収容された液体サンプル容量を走査し、これにより遠心力で液体容量の流量制御を行うためのものである。本発明は特に、マイクロリットルおよび／またはナノリットルレンジの個々の液体サンプル容量を並列処理するように構成された器具のディテクタ手段に対し等距離・等角度でディスクをスピンさせながら走査を行うディテクタ構成に関する。
【背景技術】
【０００２】
本願において、ディスク形状の基板は正確に規定されたマイクロフルイディック構造を有する。マイクロフルイディック構造は、チャネル、サンプルベイズン(basin)、反応チャンバ、疎水通路、および／または他のバルブ構造などを備える。これらによりユニット動作が統合され、スケールダウンした実験プロセスを行うことができる。ディスクを高精度にスピンさせながら、マイクロスケールで何百の分析を平行して行うことができる。自動化は、液体サンプルおよび試薬をディスクに分配し、マイクロ構造内の液体の処理・移動を制御するようディスクをスピン・停止させ、データを収集し、ディスクを器具の動作モジュール間で移動させる機能を搭載した器具で行うことができる。マイクロフルイディック構造はディスクに一体形成でき、好適には、ディスクは、廃棄可能で、合成材料から複製技術（すなわち、成形、エンボス加工など）により製造される。
【０００３】
本願で用いられる用語「マイクロフルイディック」、「マイクロ構造」などは、マイクロチャネル構造が、深さおよび／または幅が１０３μｍ以下、好適には１０２μｍ以下の一つまたはそれ以上のキャビティおよび／またはチャネルを備えることを意味する。加えて、「フルイディック」は、マイクロチャネルで液体の輸送が行われていることを意味する。幅／広さの下限は、典型的に、マイクロチャネルを通過すべき大きさが最大の試薬およびアリコートの成分よりもかなり大きい。マイクロキャビティ／マイクロチャンバの容量は、典型的に１０００ｎｌ以下であるが、μｌレンジ（例えば１０μｌや５０μｌ）まで大きくしてもよい。インレットポートに直接接続されるチャンバ／キャビティ、例えば、サンプル適用用および／または液体排出用のマイクロチャンバ／マイクロキャビティは、かなり大きくしてもよい。
【０００４】
用語「マイクロスケール」、「マイクロラボ」は、マイクロチャネル構造に導入される一つまたはそれ以上の液体アリコートがμｌレンジあるいはそれ以下、すなわち１０００μｌ以下、あるいは、ｎｌレンジ（１０００ｎｌ以下等）であることを意味する。
【０００５】
ディスクは、対称軸を有する基板に存在する覆いがされたマイクロチャネル構造を備える。各マイクロチャネル構造は、典型的に、対称軸に対し外側に向いており、インレットポートを有する。インレットポートは、特定の処置（例えば混合、分離、化学反応、検出など）が行われるマイクロキャビティに比べて、対称軸からのラジアル方向距離が短い位置にある。反応マイクロキャビティの下流側に、液体用のアウトレットポートを設けてもよい。各マイクロチャネル構造は、対称軸に垂直な平面内で伸張してもよいし、していなくてもよい。ディスクをその対称軸（回転軸）周りにスピンさせることにより、内側の位置、例えばインレットポートに位置する液体アリコートは、液体を外側に移動させる遠心力を受けて、マイクロキャビティに向かいマイクロキャビティを通過し、且つ／または、存在するのであれば液体用アウトレットを通過する。マイクロチャネル構造内の液流絞りと協動するベントポートを形成し、これにより、遠心力を作用している間、液体アリコートの流れ方向を、内側すなわち回転軸に向かうように制御するようにしてもよい。
【０００６】
本発明によれば、上記のようなマイクロチャネル構造で液体流れを起こさせるために、例えば、動電学的力、毛管力、遠心力以外の慣性力、過圧力など、他の力を用いてもよい。これは例えば、インレットポートがマイクロチャネル構造の他の機能部分に比べて対称軸からのラジアル方向距離が短い位置にあることが不可避ではないことを意味する。
【０００７】
ディスクをスピンさせてマイクロチャネル構造内に液体流れを発生させるためのロータリドライブは、同一出願人に譲渡され本出願と同日に出願された共同係属出願、表題「マイクロスケール液体サンプル容量を処理するための器具におけるロータリドライブ(ROTARY DRIVE IN AN INSTRUMENT FOR PROCESSING MICROSCALE LIQUID SAMPLE VOLUMES)」に開示されている。
【０００８】
ディスクをスピンさせるために回転式スピンドルが用いられる。ディスクは、スピンドルに連結した回転部材上に担持される。駆動手段は、サンプル調製やサンプル分配などの目的、検出やデータ収集などの目的、および、プロセス時に高速でスピンさせる目的で、停止およびスピン中のディスクの正確な位置決めを行うという厳しい要求に応える必要がある。時間効率よく作業を行うために、かなり大きな加速・減速負荷の下でディスクを回転部材に固定する必要がある。プロセス工程では、ディスクを、一分当たり約２５０００回転まで（例えば約１００００回転まで）あるいはそれ以上に急速に加速させるとともに、急速に減速させて停止させる可能性がある。
【０００９】
検出工程において、ディスクは、検出キャビティの少なくとも一部のエリアでの特定の化合物や活動を検出可能な検出手段、例えば蛍光ディテクタにより走査される。マイクロスケールの寸法と容量が関係することを考慮すると、データを繰り返し信頼性をもって収集するためには、歪みがなくディテクタ手段と平行関係となる回転がきわめて重要である。
【００１０】
このような状況において、検出工程における技術的課題は、ディテクタ手段と平行関係となるよう、ディスク状基板およびそのマイクロ構造の平面性と歪みのない回転を確保することである。したがって、加速される質量を減らすために、磨耗し易く係合箇所でディスクに損傷を与え得るような機械構造を避けることが望まれる。
【００１１】
マイクロラボ環境でディスクをスピンさせることに関する別の技術的課題は、ディスクをスピンドルに保持するための機械的保持手段の摩擦磨耗が原因となり得る、分子サイズほど小さな微小な粒子などの汚染物質を回避する必要性があることである。
【００１２】
さらに別の技術的課題は、ディスクが平坦でない場合に、ディスクの付着面と真空源との間の密閉連通を最初に発生させることである。凹凸や平面状態からのずれにより、ディスクの真空固定動作を損なう漏れが発生する。これは、必要とする平面性および検出手段との平行関係を得るために避ける必要がある。
【００１３】
記録媒体を回転式ターンテーブルに保持するために負圧を利用するロータリドライブは、ＵＳ４，４９３，０７２から公知である。ここで、負圧は、ターンテーブルの接触面にわたって幾何学的パターンに配置されたチャネルを介して分配される。
【発明の概要】
【００１４】
したがって、本発明の目的は、マイクロスケールサンプル容量の分析用の器具における、ディテクタ手段を備えたディテクタ構成であって、ディテクタ手段が、ディテクタ手段に対し等距離・等角度で回転する液体サンプル容量を同時に走査・スピンさせる協動ロータリドライブを備えたものを提供することである。
【００１５】
本発明の別の目的は、マイクロスケールサンプル容量の分析用の器具において、ディテクタ手段と、協動するロータリドライブであって、ディテクタ手段に対し等距離・等角度で回転する液体サンプル容量を担持するディスク状基板を同時に走査・スピンさせるものと、を備えたディテクタ構成を提供することである。ここで、負圧は、ディスクを対称軸周りに回転するように載置する回転部材の載置面にわたって広く分配される。
【００１６】
本発明のさらに別の目的は、マイクロスケールサンプル容量の分析用の器具において、ディテクタ手段と、協動するロータリドライブであって、ディテクタ手段に対し等距離・等角度で回転する液体サンプル容量を担持するディスクを同時に走査・スピンさせるものと、を備えたディテクタ構成を提供することである。ここで、負圧は、ディスクを対称軸周りに回転するように載置する回転部材の載置面にわたって広く分配される。ディスクの固定は、凹凸やディスクの平面状態からのずれを吸収できる密閉要素を介して、真空源からディスクの付着面への密閉負圧連通を最初に形成することにより実現される。
【００１７】
これらおよび他の目的は、添付の請求項により定義されるように構築されるディテクタ構成で満たされる。
【００１８】
端的に、本発明は、対称軸を有するディスク状の基板に形成されたマイクロチャネル構造に収容されたマイクロリットルおよび／またはナノリットルレンジの個々の液体サンプル容量を分析するための器具におけるディテクタ構成を提案する。提案されたディテクタ構成は、協動するロータリドライブの中心軸を横切る第１のラジアル方向平面内で直線変位・位置決め駆動・制御されるように支持されるディテクタヘッドを備える。ロータリドライブはモータおよびスピンドルを有する。回転部材は、スピンドル上で担持され、上記第１のラジアル方向平面と平行関係にある第２のラジアル方向平面内で上記中心軸周りに回転可能に駆動される。第２の平面の各垂線は第１の平面の法線を形成する。真空源は、回転部材に接続され、回転部材の平坦状の上面と気流連通し、これにより上記上面にわたって負圧を広く分配する。回転部材は、ディスク状基板をその対称軸周りにスピンさせるよう、上面と付着接触した状態で基板を担持する。制御手段は、対称軸に相対的にディテクタヘッドを位置決めし、これにより、ディテクタヘッドに対し等距離・等角度で回転するよう担持されたマイクロキャビティを走査する。
【００１９】
本願で開示されたディテクタ構成は、ディスク状基板のマイクロキャビティ内の特異反応または化合物を表すデータを信頼性をもって繰り返し収集するために、ディテクタ手段に相対的なマイクロフルイディックディスクの等距離・等角度の回転を実質的に確保する。ここで、用語「等距離」とは、ディクス状基板に収容された全ての検出されるマイクロスケール液体アリコートが、基板上でのそれらの相対位置に無関係に、検出窓すなわち検出エリアを通過する間ディテクタの焦平面から等距離にあることを表すものと理解すべきである。同様に、「等角度」とは、全ての検出されるマイクロスケール液体アリコートが、焦平面に対し同一の垂直角で上記窓すなわちエリアを通過することを表す。角度は基板の対称軸を横切る垂直面内で測定される。
【００２０】
発明に係るディテクタ構成の有利な特徴および実施形態は、従属請求項に定義されている。
【００２１】
以下、添付図面を参照して本発明をさらに開示する。
【００２２】
図示した実施形態に関連して記載された特徴は、適当な場合、発明に係る全体的な実施形態および本発明の他の種々の実施形態にも適用できる。
【００２３】
上述したように、マイクロリットルまたはナノリットルスケールの個々の液体サンプル容量の自動分析を行うための図１に概略的に示す器具は、サンプル分配ステーションＡ、プロセスステーションＢ、および検出ステーションＣを搭載する。マイクロラボ用器具は、好適には、マイクロリットルおよび／またはナノリットルレンジの個々のサンプル容量を自動分析するためのプロセス制御手段および機構を備える。
【００２４】
上述したように、遠心力でマイクロリットルおよび／またはナノリットル容量の液体の流量制御を行うために、個々の液体サンプル容量は、マイクロフルイディック構造を内部に有するディスク形状の基板内に収容される。ディスクは、好適には、例えば複製技術（例えばエンボス加工、成形など）により、プラスチック材料から製造される。例えば、ＷＯ９１１６９６６(Pharmacia Biotech AB, Oehman & Ekstroem)参照。
【００２５】
マイクロ構造設計では、廃棄可能なディスク形状の基板上でスケールダウンした実験プロセスを実行するようユニット動作を統合できる。ディスク状基板において、各マイクロチャネルは、インレットポート、および、インレットポートを検出マイクロキャビティに接続するマイクロチャネルを有する。好適には、少なくとも２つまたはそれ以上の検出マイクロキャビティが、ディスクの対称軸から同一ラジアル方向距離に位置する。マイクロ構造のコンパクトなレイアウトおよびディスクの高精度のスピンにより、マイクロスケールで何百の分析を平行して制御・処理できる。
【００２６】
図２を参照して、概略的に示すディテクタ構成は、ディテクタヘッド１と、データ収集工程においてディテクタヘッドに相対的にディスク状の基板をスピンさせるために用いる協動ロータリドライブ２とを搭載する。
【００２７】
ディテクタヘッド１は、ディスク状基板に形成された検出マイクロキャビティの少なくとも一部のエリアにおける特定の化合物または活動を検出できるように構成されている。ディテクタヘッド１は、蛍光や化学ルミネッセンス等を検出するための光電子増倍管を備えていてもよいし、マイクロキャビティで起きている活動をモニタおよび／または記録するのに適した任意の検出手段を備えてもよい。そこで、マイクロキャビティの上記一部のエリアからの放射を収集するためのレーザ励起蛍光ディテクタを利用してもよい。放射は、上記化合物または活動の存在を示す。ディテクタヘッド１は、以下で説明するように、ロータリドライブ２に機械的に連結されたフレーム構造３に支持されている。ディテクタヘッド１は、第１の平面Ｐ１内での直線変位・位置決めを行うよう、制御され且つフレーム構造３上をガイドされる。第１の平面Ｐ１は、協動するロータリドライブ２の中心軸ＣＬを横切り、ラジアル方向に展開する。駆動ユニット４は、上記第１のラジアル方向平面Ｐ１内でディテクタヘッド１の位置を逐次変化させ、これにより、スピンするディスク上に配置された各マイクロキャビティのラジアル方向に隣り合う部分を連続的に走査するように動作する。平面Ｐ１の垂直高さは、合焦などの目的で調整可能にしてもよい。
【００２８】
ディテクタ構成には、例えば、開始／停止位置の認識、個々の検出マイクロキャビティの同定、ディスクの回転とディテクタヘッド１のラジアル方向逐次変位との同時制御、一つまたはそれ以上のマイクロキャビティからのデータの収集、および、収集したデータの処理および提示、を行うために、オペレータのインターフェイスおよびソフトウェア（これ以上は開示せず）を有する（概略的に符号５で示す）電子・プログラマブル制御手段が割り当てられる。
【００２９】
ディテクタ構成のロータリドライブ２を、図２，３を参照してさらに詳細に説明する。モータ６は、回転部材８を静止部材９に相対的にスピンさせるためのスピンドル７を有する。静止部材９は、ディテクタヘッド１に機械的に連結するようフレーム３から懸架支持されている。フレーム３の構造的な大きさは、ディテクタヘッド１と静止部材９との間の機械的一体性を確保するように設定されている。フレーム３は、ドライブマウント１０、垂直柱１１、および水平アーム１２を備える。ドライブマウント１０、柱１１、およびアーム１２は、一体的に形成してもよいし、組み立てて一体的な構造を形成するようにしてもよい。フレーム３は、マイクロラボ用器具に、例えばフレームを器具底部にボルトで連結することにより組み込まれるようになっている。静止部材９は、フレーム３の水平セクション１４にボルト１３で固定される平坦な上面を有する。この上面は、ディテクタヘッド１およびリニアドライブ４を支持する水平アーム１２と平行である。静止部材９の上面の中央には、フレームセクション１４に形成された凹部内に摩擦により収容される隆起した肩部を備えているのが有利である。モータ６は、ボルト１５で静止部材９に固定され該部材から懸架している。スピンドル７は、静止部材から突出し、回転部材に非回転式に連結されている。回転部材８には、以下でさらに説明するように、回転部材と付着接触する（図２で一点鎖線により示す）ディスク１７を収容する上面１６が形成されている。
【００３０】
図３に最もよく示すように、回転部材８は、上側に上面１６が形成された円状ディスク１８と、下側から出た中央ハブ部分１９とを備える。ハブ１９は、非回転式にスピンドル７に固定されている。この固定は、スピンドルにクランプするようなテーパ付きスリーブ２０を摩擦係合させ、ナット２１をテーパ付きスリーブ２０の円筒端部に螺合させて締め付けることで行われる。ナット２１は、回転部材８の中央ガイド２３と係合するラジアル方向肩部２２を有し、締め付けられると、回転部材を圧接して該部材をテーパ付きスリーブに摩擦係合させる。スリーブ２０は、２つまたはそれ以上の縦方向スロット２４にわたって、ラジアル方向に関し縮小している。スロット２４は、スピンドルに係合した状態で、スリーブの最下端から、スピンドル７の外端の上方まで伸張している。
【００３１】
回転部材８は、中間ベアリングインサート２５を介して静止部分９にジャーナル支持されている。ベアリングインサート２５は、環状で、ハブ部分１９および共通軸ＣＬ周りに同心状に配置している。ベアリングインサート２５は、インサートの内周上に軸方向に間隔をあけて形成された環状凹部に収容された一対のリング状スライドシール２６を担持する。スライドシール２６は、気密を得るために、リング状のばね２７によりハブ１９の外周とスライド接触するよう付勢されているのが有利である。ベアリングインサートは、静止部材９に形成した環状のスルーホールに摩擦着座している。静止部材９とベアリングインサート２５との間の気密接続を得るために、軸方向に間隔をあけて弾性Ｏリングシール２８が軸方向に間隔をあけて静止部材に着座している。
【００３２】
回転部材８のディスク１８は、回転軸ＣＬ周りに歪みなく回転するよう注意深く釣合されている。ディスクの半径は、ディスク状のマイクロフルイディック基板１７の半径となるように設定されている。ディスクは、好適には、検出プロセスにおいて載置したマイクロフルイディックディスクを実質全エリアで支持するようにその大きさが設定されている。後述するように、負圧は、ディスク１８の上面１６にわたって広く分配され、これにより、マイクロフルイディックディスクが第２の平面Ｐ２内でスピンする際にマイクロフルイディックディスクを広いエリアで付着するようになっている。第２の平面Ｐ２は、ロータリドライブ２の上記中心軸ＣＬを横切り、ラジアル方向に展開する。本願の開示内容からわかるように、提案されるディテクタ構成において、第２の平面Ｐ２の各垂線は、第１の平面Ｐ１の法線Ｎを形成する。
【００３３】
（概略的に示される）真空源ｐは、負圧をマイクロフルイディックディスクに印加するために、静止部材９と接続され上面１６と連通する。静止部材９には、連結部３０を介して真空源に接続されたエアーダクト２９が形成されている。エアーダクト２９は、静止部材９のスルーホールの内周を水平方向に展開する環状溝３１に達している。溝３１は、ラジアル方向に大きさを有し、弾性Ｏリングシール２８の間で規定される軸方向幅を有する。ベアリングインサート２５の壁を貫通するようラジアル方向に伸びた穴３２が形成されている。ラジアル方向穴３２は、静止部材９の環状溝３１をハブ部分１９の外周で円周方向に開放された環状凹部３３に連通させるために、互いに角度方向に間隔をあけて配置されている。環状凹部３３は、ラジアル方向内側に伸び、軸方向に伸びた多数のチャネル３４と接続している。これらチャネル３４は、ハブ部分１９の下側に伸びる壁内に配置されている。軸方向チャネル３４は、ラジアル方向平面内で角度方向に間隔をあけて配置されるとともに、上面１６に、より詳しくは、該上面において中央ガイド２３周りに所定のラジアル方向距離だけ外側で開放された環状溝３５に達する。こうして、負圧連通が、真空源ｐから、連結部３０、エアーダクト２９、環状溝３１、ラジアル方向穴３２、環状凹部３３、チャネル３４、および環状溝３５を介して、上面１６まで形成される。
【００３４】
上面１６は、高度に制御された実質的に平坦の面となるよう機械加工されている。負圧は、上面１６の表面に配置された薄い構造(formation)を介して、上面にわたって広く分配される。構造は、しみ出る気流を保持し確実にマイクロフルイディックディスクを上面１６に全エリアで付着させるようにし、その結果、検出工程においてスピンするディスクの凹凸および平面状態からのずれが回避されるように意図され且つその大きさが設定されている。そうした構造は、環状溝３５から外側に負圧を分配するような、凹み、および／または、窪み、および／または、チャネル３６を含んでもよい。構造は、一般に、上面内でラジアル方向に主方向を有する。チャネル／窪み／凹みは、直線でもよいし、曲線でもよいし、若しくは、規則的またはランダムなパターンで上面１６の表面で角度が変化してもよい。他に用いられる構造には、研磨工程で得られる表面組織、若しくは、ガラスまたはサンドブラストなどで得られる軽くブラストした表面が含まれる。チャネル、窪み、および組織は、適当であれば組み合わせてもよい。全ての実施形態において、上面の表面の最外周部分は、載置位置で付着したマイクロフルイディックディスクの下面と密閉接触するために加工しない。
【００３５】
ディスクの付着面を外周および内周にそれぞれ位置する弾性リング要素３７，３８に密閉接触させることにより、最初に負圧をディスク状基板に印加する。弾性リング要素３７，３８は、上面の表面の上方に突出し、環状溝３９，４０に支持され、ディスクを最終的に回転部材８上面の表面と付着接触した状態で載置させると、上面の表面と同一またはそれ以下の高さとなるよう溝内に完全に退避できるようになっている。代わりに、弾性リング３７，３８の一方又は両方を省略し、ディスクを回転部材８の上面１６に直接配置してもよい。
【００３６】
本願に示す教示内容から外れることなく修正が可能である。しかしながら、添付請求項には、本願の開示内容を研究した当業者にとって明らかな、本発明に対するいかなるそうした修正も全て含まれるものと解釈すべきである。
【図面の簡単な説明】
【００３７】
【図１】マイクロリットルまたはナノリットルレンジの個々の液体サンプル容量を分析するための器具のセットアップを示す概略図。
【図２】図１の器具に組み込まれた発明に係るディテクタ構成を示す概略図。
【図３】サンプル容量を検出手段に相対的にスピンさせるための、図２のディテクタ構成に組み込まれたロータリドライブの詳細な構成を特に示す縦断面図。
【図１】
2005503555.tif 000003
【国際公開パンフレット】
2005503555.tif 000004
2005503555.tif 000005
2005503555.tif 000006
2005503555.tif 000007
2005503555.tif 000008
2005503555.tif 000009
2005503555.tif 000010
2005503555.tif 000011
2005503555.tif 000012
2005503555.tif 000013
2005503555.tif 000014
2005503555.tif 000015
2005503555.tif 000016
2005503555.tif 000017
2005503555.tif 000018
2005503555.tif 000019
2005503555.tif 000020
2005503555.tif 000021
【国際調査報告】
2005503555.tif 000022
2005503555.tif 000023